(57)【要約】【課題】折り畳み型携帯電話端末を閉じたままで外部から確認可能な方法で応答メッセージの選択肢を提示し、簡便に選択することができる着信応答機能を有する携帯電話端末を提供する。【解決手段】複数の応答メッセージを各々に対応する情報と関係付けて記憶する記憶手段と、着信呼び出し中に前記複数の応答メッセージのうち１つを選択する、該携帯電話端末を折り畳んだ状態において外部から操作可能な選択手段と、前記選択された応答メッセージに対応する情報を通知する、該携帯電話端末を折り畳んだ状態において外部から認識可能な情報通知手段と、前記選択された応答メッセージを確定する確定手段と、前記確定された応答メッセージを前記着信の発信元に対して送出する送出手段とを備える。【選択図】図１
2007208636.tif 000002
【特許請求の範囲】
【請求項１】
折り畳み可能な構造を持つ携帯電話端末であって、
複数の応答メッセージを各々に対応する情報と関係付けて記憶する記憶手段と、
着信呼び出し中に前記複数の応答メッセージのうち１つを選択する、該携帯電話端末を折り畳んだ状態において外部から操作可能な選択手段と、
前記選択された応答メッセージに対応する情報を通知する、該携帯電話端末を折り畳んだ状態において外部から認識可能な情報通知手段と、
前記選択された応答メッセージを確定する確定手段と、
前記確定された応答メッセージを前記着信の発信元に対して送出する送出手段とを備えることを特徴とする携帯電話端末。
【請求項２】
前記応答メッセージが音声によるものであることを特徴とする請求項１記載の携帯電話端末。
【請求項３】
音声を録音する録音手段と、
前記録音手段によって録音された音声を応答メッセージとして前記記憶手段に記憶する制御手段とをさらに備えることを特徴とする請求項２記載の携帯電話端末。
【請求項４】
前記応答メッセージが電子メールによるものであることを特徴とする請求項１記載の携帯電話端末。
【請求項５】
前記選択手段及び前記確定手段は該携帯電話端末の折り畳んだ状態の表面乃至側面に備えられたキーであることを特徴とする請求項１乃至４のいずれかに記載の携帯電話端末。
【請求項６】
前記選択手段及び前記確定手段は加速度計を内蔵したモーションコントロールセンサであることを特徴とする請求項１乃至４のいずれかに記載の携帯電話端末。
【請求項７】
前記情報通知手段は多色発光体であり、
前記情報通知手段が通知する情報は前記多色発光体の発光色であることを特徴とする請求項５または６記載の携帯電話端末。
【請求項８】
前記情報通知手段はスピーカであり、
前記情報通知手段が通知する情報は前記スピーカの鳴動パターンであることを特徴とする請求項５または６記載の携帯電話端末。
【請求項９】
前記情報通知手段は該携帯電話端末を折り畳んだ際に外部から視認可能な位置に備えられた副表示部であり、
前記情報通知手段が通知する情報は前記副表示部に表示される文字または記号であることを特徴とする請求項５または６記載の携帯電話端末。
【請求項１０】
前記情報通知手段は該携帯電話端末を折り畳んだ際に外部から視認可能な位置に回転させることが可能な主表示部であり、
前記情報通知手段が通知する情報は前記主表示部に表示される文字または記号であることを特徴とする請求項５または６記載の携帯電話端末。
【請求項１１】
前記情報通知手段は該携帯電話端末を振動させる発振手段であり、
前記情報通知手段が通知する情報は前記発振手段の振動のパターンであることを特徴とする請求項５または６の記載の携帯電話端末。
【請求項１２】
前記選択手段の無操作時間を計測するタイマをさらに備え、
着信呼び出し中に所定の時間が経過しても前記選択手段による選択がなされなかった場合、前記複数の応答メッセージの中からあらかじめ決められた１つを自動的に送出することを特徴とする請求項７乃至１１のいずれかに記載の携帯電話端末。
【発明の詳細な説明】
【技術分野】
【０００１】
本発明は、携帯電話端末に関し、特に着信時に使用者が自身の状況に合わせた応答メッセージを送信する機能に関する。なお、本明細書において携帯電話端末という用語は、一般に携帯電話と呼ばれているもの、ＰＨＳ（Ｐｅｒｓｏｎａｌ  Ｈａｎｄｙ−ｐｈｏｎｅ  Ｓｙｓｔｅｍ）等を含む総称とする。
【背景技術】
【０００２】
使用者が公共交通機関などの通話がはばかられる場所にいる場合、または車両などを運転中であるような場合など、直ちに電話に出ることができない場面において、発信元に対し、使用者の状況を説明し、直ちに電話に出ることができない旨の応答メッセージを送信するための機能について、例えば特許文献１および２のような従来技術がある。
【０００３】
また、折り畳み可能な形状を持つ携帯電話端末において、外部から視認可能な表示によって情報を識別する方法について、例えば特許文献３のような従来技術がある。
【特許文献１】特許第３５６４９８５号公報
【特許文献２】特開２００４−２３３６７号公報
【特許文献３】特許第３６０７５７７号公報
【発明の開示】
【発明が解決しようとする課題】
【０００４】
しかしながら、特許文献１の実施例においては、複数の応答メッセージの中から所望のものを選択する手段については、メッセージに対応するファンクションキーの押下によるものとなっており、豊富な応答メッセージを設けようとする場合には多数のキーを配置する必要があるという問題点があった。
【０００５】
また、特許文献２の技術においては、応答メッセージの選択肢を主表示部に表示し、使用者に選択を促すものとなっているが、折り畳み可能な構造を持つ携帯電話端末においては筐体を開く動作が必要になり、操作が煩雑である上に、操作に時間がかかれば、応答メッセージの選択を完了する前に発信者が通話を切ってしまうおそれがあるという問題があった。
【０００６】
特許文献３の技術においては、折り畳み可能な構造を持つ携帯電話端末において、筐体を閉じた際でも外部から視認可能な位置に取り付けられた多色発光体により、発信操作の利便性を向上させているが、着信時の操作の問題については解決されていなかった。
【０００７】
本発明は、そのような状況に鑑みてなされたもので、折り畳み型携帯電話端末を閉じたままで外部から確認可能な方法で応答メッセージの選択肢を提示し、簡便に選択することができる着信応答機能を有する携帯電話端末を提供することを目的とする。
【課題を解決するための手段】
【０００８】
上記課題を解決するために、本発明による携帯電話端末は、複数の応答メッセージを各々に対応する情報と関係付けて記憶する記憶手段と、着信呼び出し中に前記複数の応答メッセージのうち１つを選択する、該携帯電話端末を折り畳んだ状態において外部から操作可能な選択手段と、前記選択された応答メッセージに対応する情報を通知する、該携帯電話端末を折り畳んだ状態において外部から認識可能な情報通知手段と、前記選択された応答メッセージを確定する確定手段と、前記確定された応答メッセージを前記着信の発信元に対して送出する送出手段とを備えることを特徴とする。
【０００９】
前記応答メッセージは音声によるものであってもよい。
前記応答メッセージが音声によるものである場合、音声を録音する録音手段と、前記録音手段によって録音された音声を応答メッセージとして前記記憶手段に記憶する制御手段とをさらに備えてもよい。
【００１０】
前記応答メッセージは電子メールによるものであってもよい。
前記選択手段及び前記確定手段は該携帯電話端末の折り畳んだ状態の表面乃至側面に備えられたキーであってもよい。
【００１１】
前記選択手段及び前記確定手段は加速度計を内蔵したモーションコントロールセンサであってもよい。
【００１２】
前記情報通知手段は多色発光体であってもよく、その場合、前記情報通知手段が通知する情報は前記多色発光体の発光色であってもよい。
【００１３】
前記情報通知手段はスピーカであってもよく、その場合、前記情報通知手段が通知する情報は前記スピーカの鳴動パターンであってもよい。
【００１４】
前記情報通知手段は該携帯電話端末を折り畳んだ際に外部から視認可能な位置に備えられた副表示部であってもよく、その場合、前記情報通知手段が通知する情報は前記副表示部に表示される文字または記号であってもよい。
【００１５】
前記情報通知手段は該携帯電話端末を折り畳んだ際に外部から視認可能な位置に回転させることが可能な主表示部であってもよく、その場合、前記情報通知手段が通知する情報は前記主表示部に表示される文字または記号であってもよい。
【００１６】
前記情報通知手段は該携帯電話端末を振動させる発振手段であってもよく、その場合、前記情報通知手段が通知する情報は前記発振手段の振動のパターンであってもよい。
【００１７】
前記選択手段の無操作時間を計測するタイマをさらに備え、着信呼び出し中に所定の時間が経過しても前記選択手段による選択がなされなかった場合、前記複数の応答メッセージの中からあらかじめ決められた１つを自動的に送出するようにしてもよい。
【発明の効果】
【００１８】
本発明によれば、直ちに電話に出ることができない場面において、簡単な手順で応答メッセージを選択し、発信者に対して送出することによって、現在の自身の状況を即座に伝えることが可能となる。
【発明を実施するための最良の形態】
【００１９】
以下、添付図面を参照しながら本発明の好適な携帯電話端末の実施の形態について詳細に説明する。すべての図面を通じて同じ符号は同様の要素を示す。
【００２０】
［第１実施形態］
図１は本発明の第１の実施の形態の携帯電話端末の外観を示す図である。図２は本発明の第１の実施の形態の携帯電話端末の構成を示す機能ブロック図である。
【００２１】
図１において、折り畳み型の携帯電話端末１０は、筐体表面に設けられ、応答メッセージに対応する色に発光する多色発光型ＬＥＤ（Ｌｉｇｈｔ  Ｅｍｉｔｔｉｎｇ  Ｄｉｏｄｅ）１１と、筐体側面に設けられた側面キー操作部１２と、無線通信を行うためのアンテナ１３とを備える。側面キー操作部１２は、応答メッセージの候補を順送りで切り替える第１候補切替キー１２ａと、逆送りで切り替える第２候補切替キー１２ｂと、確定キー１２ｃとを含む。
【００２２】
図２において、携帯電話端末１０は、図１に示した多色発光型ＬＥＤ１１と、側面キー操作部１２と、アンテナ１３の他に、使用者が電話番号等の入力を行うキー操作部１４と、操作のためのガイダンスや受信情報等を表示する主表示部１５と、通話等に使用される拡声用スピーカ１６と、通話等に使用される音声入力用マイク１７と、無線処理部２１と、着信通知等に使用されるバイブレータ２２と、側面キー操作部１２の無操作時間を計測するタイマ２３と、複数種類の応答メッセージの音声データをそれぞれに関連付けられたインデックスおよび多色発光型ＬＥＤ１１の発光色と共に記憶するメモリ２４と、応答メッセージの音声データを通話として送出可能な音声信号として復元する音声処理部２５と、アンテナ１３を介して通話を可能にする無線処理部２１と、上記の各部を制御する制御部２０とを備える。制御部２０はマイクロプロセッサを主として構成されたもので、上述した他の各部に接続され、これらの動作を制御する機能および各部間のデータのやりとりを可能にする機能、各種の状態を保持するための小規模な記憶機能等を持つ。
【００２３】
図３は、メモリ２４に記憶される情報の一例を示す説明図である。メモリ２４には、各々の応答メッセージを特定するインデックスと、多色発光型ＬＥＤ１１の発光色と、応答メッセージの音声データとが関連付けられて記憶される。
【００２４】
図４は、携帯電話端末１０の動作を示すフローチャート図である。
ステップＳ１において、携帯電話端末１０の電源が入れられ、動作が開始する。
ステップＳ２において、携帯電話端末１０は着信待ち受け状態にある。このステップにおいて携帯電話端末１０に対して通話が試みられる時、無線基地局から発信された無線通信信号は、アンテナ１３を介して無線処理部２１に入力され、着信が検出される。
【００２５】
ステップＳ３において、制御部２０はスピーカ１６を鳴動、またはバイブレータ２２を振動させることによって使用者に着信報知を行う。同時に、ＬＥＤ制御回路２７を介して制御された多色発光型ＬＥＤ１１は点滅状態となる。なお、多色発光型ＬＥＤ１１が点滅状態となる際の発光色は、発信元を内蔵の電話帳データと照らし合わせて、対応する色とすることもできる。
【００２６】
ステップＳ４において、制御部２０は、内部変数として保持する応答メッセージのインデックス値を０に設定する。ステップＳ５において、制御部２０は、無操作時間を計測するためのタイマ２３をリセットする。以上の処理を完了した後、使用者の操作を待つ状態へと移行する。
【００２７】
ステップＳ６において、開閉検出部２６の入力を監視する。開閉検出部２６により、筐体が開かれたことが検出された場合は、通常の着信応答の手順となり、ステップＳ７において着信報知を停止し、ステップＳ８で通話状態になる。ステップＳ９で通話が終了されたか否かを検出し、通話終了が検出された場合、ステップＳ１０で回線を切断し、ステップＳ２の待ち受け状態に戻る。
【００２８】
ステップＳ６で筐体が開かれたことが検出されない場合、ステップＳ１１で側面キー操作部１２の入力を監視する。
【００２９】
ステップＳ１１で第１候補切替キー１２ａまたは第２候補切替キー１２ｂのいずれがの押下が検出された場合、ステップＳ１２に進み、制御部２０は、押されたのが第１候補切替キー１２ａの場合は現在のインデックス値に１を加算し、押されたのが第２候補切替キー１２ｂの場合は現在のインデックス値から１を減算する。ただし、インデックス値が応答メッセージの総数である最大値を超える場合は０に設定し、０からさらに減算される場合は最大値に設定する。
【００３０】
ステップＳ１３では、制御部２０は新たなインデックス値に対応する発光色の情報をメモリ２４から取得し、ＬＥＤ制御回路２７に供給する。ＬＥＤ制御回路２７は、多色発光型ＬＥＤ１１を対応する発光色で点灯させる。
【００３１】
ステップＳ１４でタイマ２３をリセットする。ステップＳ１５でタイマ２３のカウントがあらかじめ決められた値に達したか否かを決定するが、この場合にはタイマ２３はリセットされているため、ステップＳ６に戻る。このようなステップＳ１５からステップＳ６に戻るループにおいて、使用者は、筐体を開かないまま、多色発光型ＬＥＤ１１の発光色を視認して現在どの応答メッセージが候補として選択されているかを確認しつつ、第１候補切替キー１２ａおよび／または第２候補切替キー１２ｂを操作して応答メッセージの候補を順次に切り替え、目的の応答メッセージを選択することができる。
【００３２】
使用者は、多色発光型ＬＥＤ１１が目的の応答メッセージに対応する発光色で点灯した時点で確定キー１２ｃを押下する。ステップＳ１１で確定キー１２ｃの押下が検出されたら、ステップＳ１６でインデックス値が０か否かを判定する。インデックス値が０の場合、上述したステップＳ７以降の通常の着信応答の手順を行う。
【００３３】
インデックス値が０でない場合、ステップＳ１７において、制御部２０はインデックス値に対応する応答メッセージの音声データをメモリ２４から取得し、音声処理部２５に供給する。音声処理部２５は、供給された音声データを通話として送出可能な音声信号として復元し、無線処理部２１に供給する。無線処理部２１は、供給された音声信号を、アンテナ１３と無線基地局を介して発信元へ送出する。音声データの送出の完了後、ステップＳ１０で制御部２０は回線を切断し、ステップＳ２に戻り、待ち受け状態に復帰する。
【００３４】
ステップＳ１１でいずれの側面キーの押下も検出されない場合、ステップＳ１８でタイマ２３のカウントが進められる。ステップＳ１５でタイマ２３のカウントがあらかじめ設定されている値に達した場合、ステップＳ２０で着信報知を停止し、ステップＳ２１でタイムアウト時用の応答メッセージのインデックス値を設定する。その後、上述したステップＳ１７以降の応答メッセージ送出の手順を行う。つまり、着信時に筐体が開かれず、いずれの側面キーも押されずに所定の時間が経過した場合、あらかじめ決められた応答メッセージが自動的に発信元へ送出される。また、第１および第２候補切替キーが押されたがその後に所定の時間何の操作も行われなかった場合も、同様にあらかじめ決められた応答メッセージが自動的に発信元へ送出される。タイムアウト時用の応答メッセージは、任意の一つを使用者があらかじめ設定しておくことも可能である。
【００３５】
以上のような動作により、使用者は、着信時に折り畳み型携帯電話の筐体を開くことなく、通信相手に使用者の状況を知らせる応答メッセージを送出することができる。また、多色発光型ＬＥＤは消費電力が低く、応答メッセージ選択時の情報通知に必要とする電力が少なくて済むため、電池の持ちを延長することが可能となる。
また、候補切替キーは順送り用または逆送り用のいずれか一方のみであってもよい。
【００３６】
［第２実施形態］
図５は本発明の第２実施形態の携帯電話端末の概観を示す図である。携帯電話端末１０は、情報通知手段として上記第１実施形態の多色発光型ＬＥＤ１１の代わりに副表示部２９を備える。副表示部２９は、折り畳んだ状態で使用者が識別可能な位置に配置される液晶表示部である。副表示部２９は、一般に携帯電話端末に備わる例えば着信情報などを表示する一般にサブ液晶等と呼ばれるものであってもよい。本実施形態では、制御部は応答メッセージに対応する情報を文字または記号によって副表示部２９に表示する。このようにすれば、応答メッセージの内容を文字またはわかりやすい記号で確認できるため、誤操作を少なくすることが可能となる。
【００３７】
［第３実施形態］
図６は本発明の第３実施形態の携帯電話端末の概観を示す図である。携帯電話端末１０は、情報通知手段として上記第１実施形態の多色発光型ＬＥＤ１１の代わりに主表示部３０を備える。主表示部３０は、折り畳み機構に例えば回転２軸ヒンジを使用することによって、折り畳んだ状態で外側を向くように回転させることができる。主表示部３０は、一般に携帯電話端末に備わる例えば操作のためのガイダンスや受信情報等を表示するメイン液晶等と呼ばれるものであってもよい。本実施形態では、制御部は応答メッセージに対応する情報を文字または記号によって主表示部３０に表示する。このようにすれば、第３実施形態よりさらに長い文字列またはより大きい記号などで応答メッセージの内容を確認できるため、誤操作をさらに少なくすることが可能になる。
【００３８】
［第４実施形態］
図７は本発明の第４実施形態の携帯電話端末の概観を示す図である。携帯電話端末１０は、第１実施形態において情報通知手段として用いていた多色発光型ＬＥＤ１１に代わり、筐体表面に外部スピーカ１８を備え、第１実施形態において選択手段として用いた側面キー操作部１２の代わりに、本体内部に加速度センサ２８を備える。他の構成は第１実施形態と同様である。
【００３９】
本実施形態では、複数の応答メッセージは各々対応する外部スピーカー１８の鳴動パターンに関連付けてメモリ２４に記憶される。外部スピーカ１８は、ある応答メッセージが候補として選択されると、それに対応するパターンで鳴動する。使用者はその鳴動パターンを聞くことにより、どの応答メッセージが候補として選択されているかを認識することができる。
【００４０】
加速度センサ２８は、少なくとも筐体に対して水平方向の運動と、筐体に対して奥行き方向の運動を検出する機能を有している。使用者は、第一実施形態における候補切替キー１２ａおよび１２ｂを押す代わりに、水平方向に端末本体を動かすことによって応答メッセージの候補を切り替えることができ、第一実施形態における確定キー１２ｃを押す代わりに、奥行き方向に端末本体を動かすことによって送出すべき応答メッセージを確定することができる。このようにすることにより、使用者は、携帯電話端末を注視することなく、応答メッセージの内容を確認できるため、操作の利便性を向上させることが可能となる。さらに、視覚にハンディキャップを持つ使用者でも容易に任意の応答メッセージを送出することができるようになる。
【００４１】
［第５実施形態］
本発明の第５実施形態の携帯電話端末は、第４実施形態と大部分同様であるが、前記情報通知手段として外部スピーカの代わりに該携帯電話端末を振動させるバイブレータを備える。前記情報通知手段が示す情報は前記バイブレータの振動のパターンである。本実施形態では、複数の応答メッセージは各々対応するバイブレータの振動パターンに関連付けてメモリ２４に記憶される。バイブレータは、ある応答メッセージが候補として選択されると、それに対応するパターンで振動する。使用者はその振動パターンを感じることにより、どの応答メッセージが候補として選択されているかを認識することができる。この実施形態も、使用者は、携帯電話端末を注視することなく、応答メッセージの内容を確認できるため、操作の利便性を向上させることが可能となる。さらに、視覚にハンディキャップを持つ使用者でも容易に任意の応答メッセージを送出することができるようになる。
【００４２】
［第６実施形態］
本発明の第６実施形態の携帯電話端末は、使用者が新たな応答メッセージを追加できるようにするものである。本実施形態の携帯電話端末は、上述した第１乃至第５実施形態の携帯電話端末の構成に加えて、音声を録音する録音手段をさらに備え、制御部は、使用者が前記録音手段を使用して録音した音声に使用者が任意に新たなインデックスを付与し、前記応答メッセージ群に追加することができるようにする。このようにすれば、使用者は想定される状況を自分の声で説明する応答メッセージを作成し、追加することができる。
【００４３】
［第７実施形態］
上述した各実施形態においては、応答メッセージを音声によって送出していたが、本発明の第７実施形態の携帯電話端末は、応答メッセージを電子メールによって送信する。この場合、携帯電話端末は電子メール機能を備え、メモリには応答メッセージの音声データの代わりにテキストデータが記憶される。制御部は内蔵のアドレス帳から発信元のメールアドレスを取得し、選択された応答メッセージを内容とする電子メールを作成し、発信元へ送信する。この場合、特に第４実施形態のように情報通知手段として主表示部を使用すれば、長文を表示することで応答メッセージの内容を確認することが容易になり、誤動作を少なくすることが可能となる。
【００４４】
上述した実施形態においては情報通知手段と選択手段の特定の組み合わせについて説明したが、情報通知手段と選択手段の組み合わせはこれらに限定されず、任意の組み合わせであってもよい。
【産業上の利用可能性】
【００４５】
本発明は、携帯電話端末に利用できる。
【図面の簡単な説明】
【００４６】
【図１】本発明の第１実施形態の携帯電話端末の外観を示す図である。
【図２】本発明の第１実施形態の携帯電話端末の構成を示すブロック図である。
【図３】本発明の携帯電話端末のメモリに記憶される内容を示す表である。
【図４】本発明の第１実施形態の携帯電話端末の動作を示すフローチャートである。
【図５】本発明の第２実施形態の携帯電話端末の外観を示す図である。
【図６】本発明の第３実施形態の携帯電話端末の外観を示す図である。
【図７】本発明の第４実施形態の携帯電話端末の外観を示す図である。
【符号の説明】
【００４７】
１０  携帯電話端末
１１  多色発光型ＬＥＤ
１２  側面キー操作部
１２ａ  第１候補切替キー（順送り）
１２ｂ  第２候補切替キー（逆送り）
１２ｃ  確定キー
１３  アンテナ
１４  キー操作部
１５  主表示部
１６  スピーカ
１７  マイク
１８  外部スピーカ
２０  制御部
２１  無線処理部
２２  バイブレータ
２３  タイマ
２４  メモリ
２５  音声処理部
２６  開閉検出部
２７  ＬＥＤ制御回路
２８  加速度センサ
２９  副表示部
３０  主表示部
【図１】
2007208636.tif 000003
【図２】
2007208636.tif 000004
【図３】
2007208636.tif 000005
【図４】
2007208636.tif 000006
【図５】
2007208636.tif 000007
【図６】
2007208636.tif 000008
【図７】
2007208636.tif 000009